(57)【要約】【課題】コアの突出した部分を被固定部材に固定する際に被固定部材に磁性材を採用しても、当該部分同士での磁束の短絡を低減し、しかも保持強度を高めることが目的とされる。【解決手段】固定子１は、所定の方向９１の周りで周方向９２に沿って環状を呈するコア１１と、巻線Ａ１１１〜Ａ１１６，Ａ１２１〜Ａ１２６，Ａ１３１〜Ａ１３６とを備える。コア１１は、複数の所定の位置１０１１ａ，１０１２ａ，１０１３ａにおいて、巻線Ａ１３６，Ａ１１１、巻線Ａ１１６，Ａ１２１及び巻線Ａ１２６，Ａ１３１から外周側にそれぞれ突出している。巻線Ａ１１１〜Ａ１１６，Ａ１２１〜Ａ１２６，Ａ１３１〜Ａ１３６に流れる電流は、いずれの所定の位置１０１１ａ〜１０１３ａから開始しても、電流＋Ｕ，−Ｖ，＋Ｗ，−Ｕ，＋Ｖ，−Ｗがこの順に周方向９２に沿って繰り返される。【選択図】図２
2006271161.tif 000002
【特許請求の範囲】
【請求項１】
所定の方向（９１）の周りで周方向（９２）に沿って環状を呈するコア（１１；２１；３１）と、
前記コアを芯として巻回された複数の巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）と
を備え、
前記コアは複数の所定の位置（１０１１ａ〜１０１３ａ；２０１１ａ〜２０１４ａ；３０１１ａ，３０１２ａ）において前記巻線から突出し、
いずれの前記所定の位置においても、その前記周方向側に隣接する前記巻線（Ａ１１１，Ａ１２１，Ａ１３１；Ａ２１１，Ａ２２１，Ａ２３１，Ａ２４１；Ａ３１１ａ，Ａ３２１ａ）に流れる電流（＋Ｕ；＋Ｕ；＋Ｕ）は相互に向きと大きさが等しく、その前記周方向とは反対側に隣接する前記巻線（Ａ１３６，Ａ１１６，Ａ１２６；Ａ２４６，Ａ２１６，Ａ２２６，Ａ２３６；Ａ３１１，Ａ３２１）に流れる電流（−Ｗ；−Ｗ；＋Ｕ）は相互に向きと大きさが等しい、電機子。
【請求項２】
所定の方向（９１）の周りで周方向（９２）に沿って環状を呈するコア（１１；２１；３１）と、
前記コアを芯として巻回された複数の巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）と
を備え、
前記コアは複数の所定の位置（１０１１ａ〜１０１３ａ；２０１１ａ〜２０１４ａ；３０１１ａ，３０１２ａ）において前記巻線から突出し、
いずれの前記所定の位置から開始しても、前記巻線に流れる電流（＋Ｕ，−Ｖ，＋Ｗ，−Ｕ，＋Ｖ，−Ｗ；＋Ｕ，−Ｖ，＋Ｗ，−Ｕ，＋Ｖ，−Ｗ；＋Ｕ，−Ｖ，−Ｖ，＋Ｗ，＋Ｗ，−Ｕ，−Ｕ，＋Ｖ，＋Ｖ，−Ｗ，−Ｗ，＋Ｕ）の向きと大きさが、前記周方向に沿った順に等しい、電機子。
【請求項３】
前記所定の位置は前記周方向（９２）においてＮ回対称に配置される、請求項２記載の電機子。
【請求項４】
向きと大きさの等しい電流（＋Ｕ，−Ｖ，＋Ｗ，−Ｕ，＋Ｖ，−Ｗ；＋Ｕ，−Ｖ，＋Ｗ，−Ｕ，＋Ｖ，−Ｗ；＋Ｕ，−Ｖ，−Ｖ，＋Ｗ，＋Ｗ，−Ｕ，−Ｕ，＋Ｖ，＋Ｖ，−Ｗ，−Ｗ，＋Ｕ）が流れる前記巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）が、前記周方向（９２）においてＮ回対称に配置される、請求項２または請求項３記載の電機子。
【請求項５】
前記コア（１１；２１；３１）は前記所定の位置（１０１１ａ〜１０１３ａ；２０１１ａ〜２０１４ａ；３０１１ａ，３０１２ａ）で、前記所定の方向（９１；９１；９１）及びそれとは反対の方向並びに前記コアの内周側から外周側へと向かう方向（９３１〜９３３；９４１〜９４４；９５１，９５２）及びそれとは反対の方向の四方向のうち、一、二もしくは三方向へと突出する、請求項１乃至請求項４のいずれか一つに記載の電機子。
【請求項６】
請求項５記載の電機子（１；２；３）と、
前記電機子を固定子として、前記四方向のうち、前記コア（１１；２１；３１）がいずれの前記所定の位置（１０１１ａ〜１０１３ａ；２０１１ａ〜２０１４ａ；３０１１ａ，３０１２ａ）においても突出しない前記方向のいずれか少なくとも一方向から前記固定子に対向して配置される回転子（７１，７２；７３；７４）と
を備える、モータ。
【請求項７】
磁性体（１０１；２０１；３０１）と、
磁性材からなる第１乃至第２ｍ（ｍ；３以上の自然数）の突出部の少なくとも二組（１１１〜１１６，１２１〜１２６，１３１〜１３６；２１１〜２１６，２２１〜２２６，２３１〜２３６，２４１〜２４６；３１１〜３１６，３２１〜３２６）と
を備え、
前記第１乃至前記第２ｍの前記突出部は、所定の方向（９１）の周りで周方向（９２）に環状に、この順に繰り返し配置され、前記周方向に沿って隣接する前記突出部は前記磁性体で連結され、前記突出部のいずれもが前記磁性体に対して前記周方向に垂直な少なくとも一の方向である第１方向へと突出し、
前記第１の前記突出部（１１１，１２１，１３１；２１１，２２１，２３１，２４１；３１１，３２１）はいずれも、他の前記突出部（１１２〜１１６，１２２〜１２６，１３２〜１３６；２１２〜２１６，２２２〜２２６，２３２〜２３６，２４２〜２４６；３１２〜３１６，３２２〜３２６）に対して前記周方向に垂直な少なくとも一の方向である第２方向（９３１〜９３３；９１；９１）へと突出する、コア。
【請求項８】
前記第２方向は、前記所定の方向（９１）及びそれとは反対の方向並びに前記磁性体の内周側から外周側へと向かう方向（９３１〜９３３；９４１〜９４４；９５１，９５２）及びそれとは反対の方向の四方向のうち、一、二もしくは三方向である、請求項７記載のコア。
【請求項９】
請求項７または請求項８に記載のコア（１１；２１；３１）と、
前記磁性体（１０１；２０１；３０１）を芯として巻回されてｍ相電流が流される巻線であって、ｍ相電流の各々について前記周方向に対して右巻きに巻回された巻線と左巻きに巻回された巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３２１〜Ａ３２６）と
を備え、
前記巻線は所定の配置で配され、
前記巻線の前記所定の配置では、いずれの第１の突出部から開始しても、巻線に流れる電流（＋Ｕ，−Ｖ，＋Ｗ，−Ｕ，＋Ｖ，−Ｗ）の向きと大きさが前記周方向に沿った順に等しくなる、電機子。
【請求項１０】
いずれの一の前記突出部（３１１〜３１５，３１６，３２１〜３２５，３２６）においても、その前記周方向（９２）側に隣接する前記巻線（Ａ３１２〜Ａ３１６，Ａ３２１，Ａ３２２〜Ａ３２６，Ａ３１１）との間に、当該突出部に前記周方向側から前記磁性体を介して連結される第７の突出部（３１１ａ〜３１５ａ，３１６ａ，３２１ａ〜３２５ａ，３２６ａ）と、当該磁性体を芯として巻回される第２の巻線（Ａ３１１ａ〜Ａ３１５ａ，Ａ３１６ａ，Ａ３２１ａ〜Ａ３２５ａ，Ａ３２６ａ）とを更に備え、
前記第７の前記突出部は、前記磁性体に対して前記第１方向へと突出し、
前記第２の前記巻線は、前記一の前記突出部に前記周方向とは反対側から隣接する前記巻線（Ａ３１１〜Ａ３１５，Ａ３１６，Ａ３２１〜Ａ３２５，Ａ３２６）に流れる電流（＋Ｕ，−Ｖ，＋Ｗ，−Ｕ，＋Ｖ，−Ｗ，＋Ｕ，−Ｖ，＋Ｗ，−Ｕ，＋Ｖ，−Ｗ）と同じ向き及び大きさの電流が流れる、請求項９記載の電機子。
【請求項１１】
前記第７の前記突出部が突出する前記第１方向が前記第２方向に揃う場合には、前記第１の前記突出部は前記第２方向へと前記第７の突出部に対しても突出する、請求項１０記載の電機子。
【請求項１２】
請求項９乃至請求項１１のいずれか一つに記載の電機子（１；２；３）と、
前記電機子を固定子として、前記第２方向と異なる方向から前記固定子に対向して配置される回転子（７１，７２；７３；７４）と
を備える、モータ。
【請求項１３】
前記第１方向は、前記所定の方向（９１）及びそれとは反対の方向並びに前記磁性体の内周側から外周側へと向かう方向（９３１〜９３３；９４１〜９４４；９５１，９５２）及びそれとは反対の方向のうち、前記第２方向と異なるいずれか少なくとも一つである、請求項７または請求項８記載のコア。
【請求項１４】
請求項１３に記載のコア（１１；２１；３１）と、
前記磁性体（１０１；２０１；３０１）を芯として巻回されてｍ相電流が流される巻線であって、ｍ相電流の各々について前記周方向に対して右巻きに巻回された巻線と左巻きに巻回された巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１２〜Ａ３１６，Ａ３２２〜Ａ３２６）と
を備え、
前記巻線は所定の配置で配され、
前記巻線の前記所定の配置では、いずれの第１の突出部から開始しても、巻線に流れる電流（＋Ｕ，−Ｖ，＋Ｗ，−Ｕ，＋Ｖ，−Ｗ）の向きと大きさが周方向に沿った順に等しくなる、電機子。
【請求項１５】
いずれの一の前記突出部（３１１〜３１５，３１６，３２１〜３２５，３２６）においても、その前記周方向（９２）側に隣接する前記巻線（Ａ３１２〜Ａ３１６，Ａ３２１，Ａ３２２〜Ａ３２６，Ａ３１１）との間に、当該突出部に前記周方向側から前記磁性体を介して連結される第７の突出部（３１１ａ〜３１５ａ，３１６ａ，３２１ａ〜３２５ａ，３２６ａ）と、当該磁性体を芯として巻回される第２の巻線（Ａ３１１ａ〜Ａ３１５ａ，Ａ３１６ａ，Ａ３２１ａ〜Ａ３２５ａ，Ａ３２６ａ）とを更に備え、
前記第７の前記突出部は、前記磁性体に対して前記第１方向へと突出し、
前記第２の前記巻線は、前記一の前記突出部に前記周方向とは反対側から隣接する前記巻線（Ａ３１１〜Ａ３１５，Ａ３１６，Ａ３２１〜Ａ３２５，Ａ３２６）に流れる電流（＋Ｕ，−Ｖ，＋Ｗ，−Ｕ，＋Ｖ，−Ｗ，＋Ｕ，−Ｖ，＋Ｗ，−Ｕ，＋Ｖ，−Ｗ）と同じ向き及び大きさの電流が流れる、請求項１４記載の電機子。
【請求項１６】
前記第７の前記突出部が突出する前記第１方向が前記第２方向に揃う場合には、前記第１の前記突出部は前記第２方向へと前記第７の突出部に対しても突出する、請求項１５記載の電機子。
【請求項１７】
請求項１４乃至請求項１６のいずれか一つに記載の電機子（１；２；３）と、
前記電機子を固定子として、前記固定子に対向して前記第１方向から配置される回転子（７１，７２；７３；７４）と
を備える、モータ。
【請求項１８】
前記回転子（７１，７２；７３；７４）は、前記固定子（１；２；３）に対向して設けられる複数の磁石（７１１〜７１６，７２１〜７２６；７３１〜７３８；７４１〜７４４）を有する、請求項６、請求項１２及び請求項１７のいずれか一つに記載のモータ。
【請求項１９】
請求項６、請求項１２、請求項１７及び請求項１８のいずれか一つに記載のモータを搭載することを特徴とする、圧縮機。
【発明の詳細な説明】
【技術分野】
【０００１】
本発明はコア、電機子及びモータ並びに圧縮機に関する。
【背景技術】
【０００２】
モータには例えばアキシャルギャップ型モータとラジアルギャップ型モータとがある。いずれのモータにおいても固定子及び回転子が備えられ、固定子には、環状のコアを芯とした巻線、すなわちトロイダル巻線を有する電機子が採用できる。そして、固定子において回転磁界を発生させて、これを回転子へと流すことで、例えば永久磁石を設けた回転子が回転する。
【０００３】
なお、アキシャルギャップ型モータの回転子は、回転軸を中心として回転可能であって、回転軸に沿った方向から固定子に対向して配置される。ラジアルギャップ型モータの回転子は、回転軸を中心として回転可能であって、回転軸に対して固定子の外周側または内周側から固定子に対向して配置される。
【０００４】
本発明に関連する技術を以下に示す。いずれも、トロイダル巻線を有するモータに関する。
【０００５】
【特許文献１】特開平８−３２２１７９号公報
【特許文献２】特開平１１−３３２１３７号公報
【発明の開示】
【発明が解決しようとする課題】
【０００６】
固定子は被固定部材に固定される。例えば、コアを巻線の間から突出させて、突出した部分を被固定部材に固定する。しかし、被固定部材に磁性材を採用した場合には、固定子で発生した磁束が、突出した部分同士で短絡するおそれがある。
【０００７】
特許文献１では、固定子が、非磁性材からなる固定部材を介して、被固定部材に固定されている。この場合、固定子で発生した磁束は被固定部材へと漏れにくい。しかし、コアを、固定部材を含めて同一部材で構成することができず、製造工程が増え、コストの増加を招くおそれがある。
【０００８】
特許文献２では、固定子について、コアを所定の位置で巻線の間から外周側に突出させて、突出した部分を被固定部材に固定している。そして、周方向について隣接する当該部分の間には、巻線が三つだけ設けられている。当該固定子で回転磁界を発生させた場合、所定の位置における磁位が異なり、突出した部分同士での磁束の短絡が生じるおそれがある。
【０００９】
このような場合にも、例えば、当該部分の厚みを小さくすることで磁気抵抗を高め、磁束漏れを低減することができるが、保持強度が低下する点であまり望ましくない。
【００１０】
本発明は、上述した事情に鑑みてなされたものであり、コアの突出した部分を被固定部材に固定する際に被固定部材に磁性材を採用しても、当該部分同士での磁束の短絡を低減し、しかも保持強度を高めることが目的とされる。
【課題を解決するための手段】
【００１１】
この発明の請求項１に係る電機子は、所定の方向（９１）の周りで周方向（９２）に沿って環状を呈するコア（１１；２１；３１）と、前記コアを芯として巻回された複数の巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）とを備える。前記コアは複数の所定の位置（１０１１ａ〜１０１３ａ；２０１１ａ〜２０１４ａ；３０１１ａ，３０１２ａ）において前記巻線から突出し、いずれの前記所定の位置においても、その前記周方向側に隣接する前記巻線（Ａ１１１，Ａ１２１，Ａ１３１；Ａ２１１，Ａ２２１，Ａ２３１，Ａ２４１；Ａ３１１ａ，Ａ３２１ａ）に流れる電流（＋Ｕ；＋Ｕ；＋Ｕ）は相互に向きと大きさが等しく、その前記周方向とは反対側に隣接する前記巻線（Ａ１３６，Ａ１１６，Ａ１２６；Ａ２４６，Ａ２１６，Ａ２２６，Ａ２３６；Ａ３１１，Ａ３２１）に流れる電流（−Ｗ；−Ｗ；＋Ｕ）は相互に向きと大きさが等しい。
【００１２】
この発明の請求項２に係る電機子は、所定の方向（９１）の周りで周方向（９２）に沿って環状を呈するコア（１１；２１；３１）と、前記コアを芯として巻回された複数の巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）とを備える。前記コアは複数の所定の位置（１０１１ａ〜１０１３ａ；２０１１ａ〜２０１４ａ；３０１１ａ，３０１２ａ）において前記巻線から突出し、いずれの前記所定の位置から開始しても、前記巻線に流れる電流（＋Ｕ，−Ｖ，＋Ｗ，−Ｕ，＋Ｖ，−Ｗ；＋Ｕ，−Ｖ，＋Ｗ，−Ｕ，＋Ｖ，−Ｗ；＋Ｕ，−Ｖ，−Ｖ，＋Ｗ，＋Ｗ，−Ｕ，−Ｕ，＋Ｖ，＋Ｖ，−Ｗ，−Ｗ，＋Ｕ）の向きと大きさが、前記周方向に沿った順に等しい。
【００１３】
この発明の請求項３に係る電機子は、請求項２記載の電機子であって、前記所定の位置は前記周方向（９２）においてＮ回対称に配置される。
【００１４】
この発明の請求項４に係る電機子は、請求項２または請求項３記載の電機子であって、向きと大きさの等しい電流（＋Ｕ，−Ｖ，＋Ｗ，−Ｕ，＋Ｖ，−Ｗ；＋Ｕ，−Ｖ，＋Ｗ，−Ｕ，＋Ｖ，−Ｗ；＋Ｕ，−Ｖ，−Ｖ，＋Ｗ，＋Ｗ，−Ｕ，−Ｕ，＋Ｖ，＋Ｖ，−Ｗ，−Ｗ，＋Ｕ）が流れる前記巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３１１ａ〜Ａ３１６ａ，Ａ３２１〜Ａ３２６，Ａ３２１ａ〜Ａ３２６ａ）が、前記周方向（９２）においてＮ回対称に配置される。
【００１５】
この発明の請求項５に係る電機子は、請求項１乃至請求項４のいずれか一つに記載の電機子であって、前記コア（１１；２１；３１）は前記所定の位置（１０１１ａ〜１０１３ａ；２０１１ａ〜２０１４ａ；３０１１ａ，３０１２ａ）で、前記所定の方向（９１；９１；９１）及びそれとは反対の方向並びに前記コアの内周側から外周側へと向かう方向（９３１〜９３３；９４１〜９４４；９５１，９５２）及びそれとは反対の方向の四方向のうち、一、二もしくは三方向へと突出する。
【００１６】
この発明の請求項６に係るモータは、請求項５記載の電機子（１；２；３）と、前記電機子を固定子として、前記四方向のうち、前記コア（１１；２１；３１）がいずれの前記所定の位置（１０１１ａ〜１０１３ａ；２０１１ａ〜２０１４ａ；３０１１ａ，３０１２ａ）においても突出しない前記方向のいずれか少なくとも一方向から前記固定子に対向して配置される回転子（７１，７２；７３；７４）とを備える。
【００１７】
この発明の請求項７に係るコアは、磁性体（１０１；２０１；３０１）と、磁性材からなる第１乃至第２ｍ（ｍ；３以上の自然数）の突出部の少なくとも二組（１１１〜１１６，１２１〜１２６，１３１〜１３６；２１１〜２１６，２２１〜２２６，２３１〜２３６，２４１〜２４６；３１１〜３１６，３２１〜３２６）とを備える。前記第１乃至前記第２ｍの前記突出部は、所定の方向（９１）の周りで周方向（９２）に環状に、この順に繰り返し配置され、前記周方向に沿って隣接する前記突出部は前記磁性体で連結され、前記突出部のいずれもが前記磁性体に対して前記周方向に垂直な少なくとも一の方向である第１方向へと突出し、前記第１の前記突出部（１１１，１２１，１３１；２１１，２２１，２３１，２４１；３１１，３２１）はいずれも、他の前記突出部（１１２〜１１６，１２２〜１２６，１３２〜１３６；２１２〜２１６，２２２〜２２６，２３２〜２３６，２４２〜２４６；３１２〜３１６，３２２〜３２６）に対して前記周方向に垂直な少なくとも一の方向である第２方向（９３１〜９３３；９１；９１）へと突出する。
【００１８】
この発明の請求項８に係るコアは、請求項７記載のコアであって、前記第２方向は、前記所定の方向（９１）及びそれとは反対の方向並びに前記磁性体の内周側から外周側へと向かう方向（９３１〜９３３；９４１〜９４４；９５１，９５２）及びそれとは反対の方向の四方向のうち、一、二もしくは三方向である。
【００１９】
この発明の請求項９に係る電機子は、請求項７または請求項８に記載のコア（１１；２１；３１）と、前記磁性体（１０１；２０１；３０１）を芯として巻回されてｍ相電流が流される巻線であって、ｍ相電流の各々について前記周方向に対して右巻きに巻回された巻線と左巻きに巻回された巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１１〜Ａ３１６，Ａ３２１〜Ａ３２６）とを備える。前記巻線は所定の配置で配され、前記巻線の前記所定の配置では、いずれの第１の突出部から開始しても、巻線に流れる電流（＋Ｕ，−Ｖ，＋Ｗ，−Ｕ，＋Ｖ，−Ｗ）の向きと大きさが前記周方向に沿った順に等しくなる。
【００２０】
この発明の請求項１０に係る電機子は、請求項９記載の電機子であって、いずれの一の前記突出部（３１１〜３１５，３１６，３２１〜３２５，３２６）においても、その前記周方向（９２）側に隣接する前記巻線（Ａ３１２〜Ａ３１６，Ａ３２１，Ａ３２２〜Ａ３２６，Ａ３１１）との間に、当該突出部に前記周方向側から前記磁性体を介して連結される第７の突出部（３１１ａ〜３１５ａ，３１６ａ，３２１ａ〜３２５ａ，３２６ａ）と、当該磁性体を芯として巻回される第２の巻線（Ａ３１１ａ〜Ａ３１５ａ，Ａ３１６ａ，Ａ３２１ａ〜Ａ３２５ａ，Ａ３２６ａ）とを更に備える。前記第７の前記突出部は、前記磁性体に対して前記第１方向へと突出し、前記第２の前記巻線は、前記一の前記突出部に前記周方向とは反対側から隣接する前記巻線（Ａ３１１〜Ａ３１５，Ａ３１６，Ａ３２１〜Ａ３２５，Ａ３２６）に流れる電流（＋Ｕ，−Ｖ，＋Ｗ，−Ｕ，＋Ｖ，−Ｗ，＋Ｕ，−Ｖ，＋Ｗ，−Ｕ，＋Ｖ，−Ｗ）と同じ向き及び大きさの電流が流れる。
【００２１】
この発明の請求項１１に係る電機子は、請求項１０記載の電機子であって、前記第７の前記突出部が突出する前記第１方向が前記第２方向に揃う場合には、前記第１の前記突出部は前記第２方向へと前記第７の突出部に対しても突出する。
【００２２】
この発明の請求項１２に係るモータは、請求項９乃至請求項１１のいずれか一つに記載の電機子（１；２；３）と、前記電機子を固定子として、前記第２方向と異なる方向から前記固定子に対向して配置される回転子（７１，７２；７３；７４）とを備える。
【００２３】
この発明の請求項１３に係るコアは、請求項７または請求項８記載のコアであって、前記第１方向は、前記所定の方向（９１）及びそれとは反対の方向並びに前記磁性体の内周側から外周側へと向かう方向（９３１〜９３３；９４１〜９４４；９５１，９５２）及びそれとは反対の方向のうち、前記第２方向と異なるいずれか少なくとも一つである。
【００２４】
この発明の請求項１４に係る電機子は、請求項１３に記載のコア（１１；２１；３１）と、前記磁性体（１０１；２０１；３０１）を芯として巻回されてｍ相電流が流される巻線であって、ｍ相電流の各々について前記周方向に対して右巻きに巻回された巻線と左巻きに巻回された巻線（Ａ１１１〜Ａ１１６，Ａ１２１〜Ａ１２６，Ａ１３１〜Ａ１３６；Ａ２１１〜Ａ２１６，Ａ２２１〜Ａ２２６，Ａ２３１〜Ａ２３６，Ａ２４１〜Ａ２４６；Ａ３１２〜Ａ３１６，Ａ３２２〜Ａ３２６）とを備える。前記巻線は所定の配置で配され、前記巻線の前記所定の配置では、いずれの第１の突出部から開始しても、巻線に流れる電流（＋Ｕ，−Ｖ，＋Ｗ，−Ｕ，＋Ｖ，−Ｗ）の向きと大きさが周方向に沿った順に等しくなる。
【００２５】
この発明の請求項１５に係る電機子は、請求項１４記載の電機子であって、いずれの一の前記突出部（３１１〜３１５，３１６，３２１〜３２５，３２６）においても、その前記周方向（９２）側に隣接する前記巻線（Ａ３１２〜Ａ３１６，Ａ３２１，Ａ３２２〜Ａ３２６，Ａ３１１）との間に、当該突出部に前記周方向側から前記磁性体を介して連結される第７の突出部（３１１ａ〜３１５ａ，３１６ａ，３２１ａ〜３２５ａ，３２６ａ）と、当該磁性体を芯として巻回される第２の巻線（Ａ３１１ａ〜Ａ３１５ａ，Ａ３１６ａ，Ａ３２１ａ〜Ａ３２５ａ，Ａ３２６ａ）とを更に備える。前記第７の前記突出部は、前記磁性体に対して前記第１方向へと突出し、前記第２の前記巻線は、前記一の前記突出部に前記周方向とは反対側から隣接する前記巻線（Ａ３１１〜Ａ３１５，Ａ３１６，Ａ３２１〜Ａ３２５，Ａ３２６）に流れる電流（＋Ｕ，−Ｖ，＋Ｗ，−Ｕ，＋Ｖ，−Ｗ，＋Ｕ，−Ｖ，＋Ｗ，−Ｕ，＋Ｖ，−Ｗ）と同じ向き及び大きさの電流が流れる。
【００２６】
この発明の請求項１６に係る電機子は、請求項１５記載の電機子であって、前記第７の前記突出部が突出する前記第１方向が前記第２方向に揃う場合には、前記第１の前記突出部は前記第２方向へと前記第７の突出部に対しても突出する。
【００２７】
この発明の請求項１７に係るモータは、請求項１４乃至請求項１６のいずれか一つに記載の電機子（１；２；３）と、前記電機子を固定子として、前記固定子に対向して前記第１方向から配置される回転子（７１，７２；７３；７４）とを備える。
【００２８】
この発明の請求項１８に係るモータは、請求項６、請求項１２及び請求項１７のいずれか一つに記載のモータであって、前記回転子（７１，７２；７３；７４）は、前記固定子（１；２；３）に対向して設けられる複数の磁石（７１１〜７１６，７２１〜７２６；７３１〜７３８；７４１〜７４４）を有する。
【００２９】
この発明の請求項１９に係る圧縮機は、請求項６、請求項１２、請求項１７及び請求項１８のいずれか一つに記載のモータを搭載することを特徴とする。
【発明の効果】
【００３０】
この発明の請求項１に係る電機子によれば、コアの突出した部分を例えば被固定部材に固着することで、当該電機子を被固定部材に固定することができる。そして、いずれの突出した部分同士においても、それぞれの両側に流れる電流の向きと大きさが共通するので、当該被固定部材に磁性材を採用しても、コアから突出した部分同士での磁束の短絡が生じにくい。しかも、突出した部分の周方向に沿った厚みを大きくすることができ、以って当該電機子を被固定部材に固定した際の保持強度を高めることができる。
【００３１】
この発明の請求項２に係る電機子によれば、コアの突出した部分を例えば被固定部材に固着することで、当該電機子を被固定部材に固定することができる。そして、いずれの所定の位置から開始しても、巻線に流れる電流の向きと大きさが周方向に沿った順に等しいので、所定の位置における磁位がほぼ等しくなる。よって、被固定部材に磁性材を採用しても、コアから突出した部分同士での磁束の短絡が生じにくい。しかも、突出した部分の周方向に対する厚みを大きくすることができ、以って当該電機子を被固定部材に固定した際の保持強度を高めることができる。
【００３２】
この発明の請求項３に係る電機子によれば、コアの突出した部分が周方向において対称となるため、当該電機子を被固定部材に固定した際に、突出した部分のそれぞれに均等な力がかかり、以って保持強度が高まる。
【００３３】
この発明の請求項４に係る電機子によれば、巻線に流れる電流の向きと大きさの等しい位置が、周方向においてＮ回対称に配置されるので、磁位もＮ回対称となる。よって、所定の位置における磁位を等しくできる。
【００３４】
この発明の請求項５に係る電機子によれば、当該電機子を固定子として、四方向のうち、コアがいずれの所定の位置においても突出しない方向のいずれか少なくとも一つから固定子に対向して回転子を配置して得られるモータにおいて、固定子で発生した磁束の多くが被固定部材に至らず回転子へと流れる。これは、コアの突出した部分同士で磁束が短絡しにくいからである。よって、モータの駆動効率及び駆動出力が高まる。
【００３５】
この発明の請求項６に係るモータによれば、コアの突出した部分同士での磁束の短絡が生じにくいので、固定子で発生した磁束の多くが回転子へと流れ、以ってモータの駆動効率及び駆動出力が高まる。
【００３６】
この発明の請求項７に係るコアによれば、磁性体を芯として巻回されてｍ相電流が流される巻線であって、ｍ相電流の各々について周方向に対して右巻きに巻回された巻線と左巻きに巻回された巻線を設けて得られる電機子において、いずれの第１の突出部から開始しても、巻線に流れる電流の向きと大きさが周方向に沿った順に等しくなるように、巻線を配置することができる。当該配置によれば、いずれの第１の突出部同士においても、それぞれの両側に流れる電流の向きと大きさが共通するので、第１の突出部を被固定部材に固定する場合に被固定部材に磁性材を採用しても、第１の突出部同士での磁束の短絡が生じない。
【００３７】
しかも、突出した部分の周方向に対する厚みを大きくすることができ、以って当該電機子を固定部材に固定した際の保持強度を高くすることができる。
【００３８】
この発明の請求項８に係るコアによれば、磁性体を芯として巻線を巻回して得られる電機子を固定子として、四方向のうち、当該第２方向とは異なるいずれか少なくとも一つから固定子に対向して回転子を配置することができる。これにより得られたモータにおいて、固定子で発生した磁束の多くが被固定部材に至らず回転子へと流れる。これは、第１の突出部同士での磁束の短絡が生じないからである。よって、当該モータの駆動効率及び駆動出力が高まる。
【００３９】
この発明の請求項９に係る電機子によれば、所定の配置によれば、いずれの第１の突出部から開始しても、巻線に流れる電流の向きと大きさが周方向に沿った順に等しいので、第１の突出部における磁位がほぼ等しくなる。よって、第１の突出部を被固定部材に固定する場合に被固定部材に磁性材を採用しても、第１の突出部同士での磁束の短絡が生じない。
【００４０】
しかも、当該電機子を固定子として、四方向のうち、当該第２方向とは異なるいずれか少なくとも一つから固定子に対向して回転子を配置して得られるモータにおいて、固定子で発生した磁束の多くが被固定部材に至らず回転子へと流れる。よって、当該モータの駆動効率及び駆動出力が高まる。
【００４１】
この発明の請求項１０または請求項１５に係る電機子によれば、第１の突出部においては、その両側に流れる電流の向き及び大きさが同じであるので、磁束の多くが周方向またはそれとは反対の方向へと流れ、以って磁束が漏れにくい。よって、被固定部材に磁性材を採用しても、第１の突出部を介して被固定部材へと磁束が流れにくい。
【００４２】
この発明の請求項１１または請求項１６に係る電機子によれば、第７の突出部が前記第２方向へと突出する場合であっても、第１の突出部のみを被固定部材に固定できる。
【００４３】
この発明の請求項１２に係るモータによれば、第１の突出部同士で被固定部材を介して磁束が短絡しにくいので、固定子で発生した磁束の多くが被固定部材に至らず回転子へと流れ、以ってモータの駆動効率及び駆動出力が高まる。
【００４４】
この発明の請求項１３に係るコアによれば、磁性体を芯として巻線を巻回して得られる電機子を固定子として、固定子に対向して第１方向から回転子を配置することができる。これにより得られたモータにおいて、固定子で発生した磁束の多くが被固定部材に至らず回転子へと流れる。これは、第１の突出部同士での磁束の短絡が生じず、また突出部が回転子へと突出しているので回転子からの磁束を導きやすいからである。よって、当該モータの駆動効率及び駆動出力が高まる。
【００４５】
この発明の請求項１４に係る電機子によれば、所定の配置によれば、いずれの第１の突出部から開始しても、巻線に流れる電流の向きと大きさが周方向に沿った順に等しいので、第１の突出部における磁位がほぼ等しくなる。よって、第１の突出部を被固定部材に固定する場合に被固定部材に磁性材を採用しても、第１の突出部同士での磁束の短絡が生じない。
【００４６】
しかも、当該電機子を固定子として、当該固定子に対向して第１方向から回転子を配置して得られたモータにおいて、固定子で発生した磁束の多くが被固定部材に至らず回転子へと流れる。これは、第１の突出部同士での磁束の短絡が生じず、また突出部が回転子へと突出しているので回転子からの磁束を導きやすいからである。よって、当該モータの駆動効率及び駆動出力が高まる。
【００４７】
この発明の請求項１７に係るモータによれば、第１の突出部同士での磁束の短絡が生じず、また突出部が回転子へと突出しているので回転子からの磁束を導きやすく、以ってモータの駆動効率及び駆動出力が高まる。
【００４８】
この発明の請求項１８に係るモータによれば、磁石から流れる磁束が、固定子の巻線に効率良く鎖交する。
【００４９】
この発明の請求項１９に係る圧縮機によれば、例えば冷媒等を効率良く圧縮することができる。
【発明を実施するための最良の形態】
【００５０】
第１の実施の形態．
図１は、本実施の形態に係るモータを概念的に示す斜視図である。当該モータは、固定子１及び回転子７１，７２を備える。図１では見やすくするために、固定子１及び回転子７１，７２を所定の方向９１に沿った間隔を拡げて示している。
【００５１】
図２は、固定子１を概念的に示す上面図である。固定子１は、所定の方向９１の周りで周方向９２に沿って環状を呈するコア１１と、巻線Ａ１１１〜Ａ１１６，Ａ１２１〜Ａ１２６，Ａ１３１〜Ａ１３６とを備える。
【００５２】
巻線Ａ１１１〜Ａ１１６，Ａ１２１〜Ａ１２６，Ａ１３１〜Ａ１３６は、この順にコア１１を芯として巻回されている。具体的には、巻線Ａ１１１，Ａ１１３，Ａ１１５，Ａ１２１，Ａ１２３，Ａ１２５，Ａ１３１，Ａ１３３，Ａ１３５はそれぞれ周方向９２から見て右巻き及び左巻きのいずれか一の方向に巻回され、巻線Ａ１１２，Ａ１１４，Ａ１１６，Ａ１２２，Ａ１２４，Ａ１２６，Ａ１３２，Ａ１３４，Ａ１３６は、他の方向に巻回されている。
【００５３】
コア１１は、巻線Ａ１３６と巻線Ａ１１１との間の位置１０１１ａにおいて巻線Ａ１３６，Ａ１１１に対して外周側へと向かう方向９３１に突出し、巻線Ａ１１６と巻線Ａ１２１との間の位置１０１２ａにおいて巻線Ａ１１６，Ａ１２１に対して外周側へと向かう方向９３２に突出し、巻線Ａ１２６と巻線Ａ１３１との間の位置１０１３ａにおいて巻線Ａ１２６，Ａ１３１に対して外周側へと向かう方向９３３に突出している。図２では、突出した部分が符号１０１１〜１０１３で示されている。
【００５４】
この内容は、位置１０１１ａ〜１０１３ａをコア１１の複数の所定の位置と把握することで次のように把握できる。つまり、コア１１が、複数の所定の位置１０１１ａ，１０１２ａ，１０１３ａにおいて、巻線Ａ１３６，Ａ１１１、巻線Ａ１１６，Ａ１２１及び巻線Ａ１２６，Ａ１３１から外周側にそれぞれ突出している。
【００５５】
図１及び図２で示されるように、突出した部分１０１１〜１０１３を、所定の方向９１を中心とする円筒である被固定部材８１に固着することで、固定子１が被固定部材８１に固定される。
【００５６】
巻線Ａ１１１〜Ａ１１６，Ａ１２１〜Ａ１２６，Ａ１３１〜Ａ１３６には、次の態様で電流が流される。すなわち、巻線Ａ１１１，Ａ１１４，Ａ１２１，Ａ１２４，Ａ１３１，Ａ１３４にはそれぞれＵ相電流が流され、巻線Ａ１１２，Ａ１１５，Ａ１２２，Ａ１２５，Ａ１３２，Ａ１３５にはそれぞれＶ相電流が流され、巻線Ａ１１３，Ａ１１６，Ａ１２３，Ａ１２６，Ａ１３３，Ａ１３６にはそれぞれＷ相電流が流される。
【００５７】
図２では、周方向９２から見て右巻き及び左巻きのいずれか一の方向に沿って流れる３相電流が符号＋Ｕ，＋Ｖ，＋Ｗで、他の方向に沿って流れる３相電流が符号−Ｕ，−Ｖ，−Ｗで、それぞれ表されている。以下においても同様である。
【００５８】
図２で示される電流に関する態様は、いずれの所定の位置１０１１ａ〜１０１３ａから開始しても、巻線Ａ１１１〜Ａ１１６，Ａ１２１〜Ａ１２６，Ａ１３１〜Ａ１３６に流れる電流の向きと大きさが、周方向９２に沿った順に等しいと把握できる。すなわち、いずれの所定の位置１０１１ａ〜１０１３ａから開始しても、電流＋Ｕ，−Ｖ，＋Ｗ，−Ｕ，＋Ｖ，−Ｗがこの順に周方向９２に沿って繰り返される。
【００５９】
このような態様によれば、所定の位置１０１１ａ〜１０１３ａにおける磁位がほぼ等しくなる。よって、被固定部材８１に磁性材を採用しても、突出した部分１０１１〜１０１３同士での磁束の短絡が生じにくい。
【００６０】
この場合、突出した部分１０１１〜１０１３の周方向９２に沿った厚みが大きくても、同様に磁束の短絡が生じにくい。よって、突出した部分１０１１〜１０１３の周方向９２に沿った厚みを大きくすることで、固定子１を被固定部材８１に固定した際の保持強度を高めることができる。
【００６１】
上述した態様に限らず、例えば少なくとも突出した部分１０１１〜１０１３同士で、その両側に流れる電流の向きと大きさが共通する態様であってもよい。
【００６２】
この態様は、いずれの所定の位置１０１１ａ〜１０１３ａにおいても、その周方向９２側に隣接する巻線Ａ１１１，Ａ１２１，Ａ１３１には相互に向きと大きさが等しい電流＋Ｕが流れ、その周方向９２とは反対側に隣接する巻線Ａ１３６，Ａ１１６，Ａ１２６には相互に向きと大きさが等しい電流−Ｗが流れると把握できる。
【００６３】
このような態様によっても、上述したと同様に、突出した部分１０１１〜１０１３同士での磁束の短絡を防止でき、しかも保持強度を高めることができる。
【００６４】
所定の位置１０１１ａ〜１０１３ａは、周方向９２において３回対称であることが、次の点で望ましい。すなわち、突出した部分１０１１〜１０１３が周方向９２において対称となるため、固定子１を被固定部材８１に固定した際に、突出した部分１０１１〜１０１３のそれぞれに均等な力がかかり、以って保持強度が高まる。図２では、所定の位置１０１１ａ〜１０１３ａがほぼ３回対称である場合が示されている。
【００６５】
この技術は、所定の位置がＮ個ある場合（Ｎは２以上の自然数である）に拡張することができる。すなわち、当該所定の位置を周方向９２においてＮ回対称に配置することで、保持強度を高めることができる。
【００６６】
電流＋Ｕが流れる巻線Ａ１１１，Ａ１２１，Ａ１３１、電流−Ｖが流れる巻線Ａ１１２，Ａ１２２，Ａ１３２、電流＋Ｗが流れる巻線Ａ１１３，Ａ１２３，Ａ１３３、電流−Ｕが流れる巻線Ａ１１４，Ａ１２４，Ａ１３４、電流＋Ｖが流れる巻線Ａ１１５，Ａ１２５，Ａ１３５、電流−Ｗが流れる巻線Ａ１１６，Ａ１２６，Ａ１３６は、それぞれ周方向９２において３回対称であることが望ましく、この場合が図２に示されている。
【００６７】
この内容は、向きと大きさの等しい電流が流れる巻線Ａ１１１〜Ａ１１６，Ａ１２１〜Ａ１２６，Ａ１３１〜Ａ１３６が、周方向９２において３回対称に配置されると把握できる。
【００６８】
このような態様によれば、コア１１において磁位が周方向９２に３回対称となる。よって、いずれの所定の位置１０１１ａ〜１０１３ａにおいても、そこでの磁位を等しくすることができる。
【００６９】
この技術は、向きと大きさの等しい電流が流れる巻線が、周方向９２においてＮ回対称に配置される場合に拡張することができる。
【００７０】
図１に戻って、回転子７１は、基体７１０と磁石７１１〜７１６とを有し、所定の方向９１に沿う回転軸を中心として回転可能である。基体７１０は、所定の方向９１から固定子１に対向して配置される。磁石７１１〜７１６は、基体７１０の固定子１側の表面に固定子１に対し設けられ、隣接するもの同士は、互いに極性が異なる磁極面を固定子１に向けている。
【００７１】
回転子７２は、基体７２０と磁石７２１〜７２６とを有し、回転子７１と同じ回転軸を中心として回転可能である。基体７２０は、所定の方向９１と反対の方向から固定子１に対向して配置される。磁石７２１〜７２６は、基体７２０の固定子１側の表面に固定子１に対し設けられ、隣接するもの同士は、互いに極性が異なる磁極面を固定子１に向けている。
【００７２】
図１で示されるように、磁石７１１〜７１６はそれぞれ、固定子１を介して磁石７２１〜７２６と対向し、互いに極性が同じ磁極面を固定子１に対して向けることが望ましい。これは、巻線Ａ１１１〜Ａ１１６，Ａ１２１〜Ａ１２６，Ａ１３１〜Ａ１３６に電流を流した場合に、コア１１のいずれの位置においても、その位置での所定の方向９１についての端が同じ極性で磁化されるからである。
【００７３】
巻線Ａ１１１〜Ａ１１６，Ａ１２１〜Ａ１２６，Ａ１３１〜Ａ１３６に上述した態様で電流が流れると、固定子１には回転軸を中心とする回転磁界が発生する。当該回転磁界の多くは被固定部材８１に至らず回転子７１，７２へと流れる。これは、突出した部分１０１１〜１０１３同士での磁束の短絡が生じにくいからである。よって、モータの駆動効率及び駆動出力が高まる。
【００７４】
例えば、回転子７１，７２は、その基体７１０，７２０の内周側にシャフトやクランク軸などの回転軸が嵌合され、当該回転軸の少なくともいずれか一方に負荷が設けられる。そして、固定子１で発生した回転磁界によって回転子７１，７２が回転することで、負荷が駆動される。後述する回転子７３，７４についても同様のことが言える。
【００７５】
例えば、回転子７１，７２のいずれか一方のみを設けたモータであってもよいが、固定子１で発生した回転磁界を効率良く利用できる点で、上述したように回転子７１，７２の両方を設ける方が望ましい。
【００７６】
また、回転子７１，７２のいずれか少なくとも一方とともに、あるいはこれに代えて、固定子１の内周側に回転子を設けても良い。特に、回転子７１，７２とともに固定子１の内周側にも回転子を設けたモータは、固定子１で発生した回転磁界を効率良く利用できる点で望ましい。
【００７７】
固定子１は、コア１１が所定の位置１０１１ａ〜１０１３ａで、所定の方向９１及びそれとは反対の方向並びにコア１１の内周側から外周側へと向かう方向９３１〜９３３及びそれとは反対の方向の四方向のうち、一、二もしくは三方向へと突出しても良い。
【００７８】
この場合、回転子は、当該四方向のうち、コア１１がいずれの所定の位置１０１１ａ〜１０１３ａにおいても突出しない方向のいずれか少なくとも一方向から、固定子１に対向して配置される。
【００７９】
コア１１の所定の位置１０１１ａ〜１０１３ａ以外の位置における被固定部材８１とコア１１との距離は、回転子７１，７２と固定子１とのギャップ長よりも大きいことが、次の点で望ましい。すなわち、固定子１から被固定部材８１への磁束の漏れが回避され、磁束の多くが回転子７１，７２へと流れる。
【００８０】
第２の実施の形態．
第１の実施の形態で説明したコア１１には、例えば図３で示されるコアを採用することができる。コア１１は、磁性体１０１と、磁性材からなる第１乃至第６の突出部の３組１１１〜１１６，１２１〜１２６，１３１〜１３６とを備える。
【００８１】
第１乃至第６の突出部１１１〜１１６，１２１〜１２６，１３１〜１３６は、所定の方向９１の周りで周方向９２に環状に、この順に配置され、周方向９２に沿って隣接するもの同士が磁性体１０１で連結されている。
【００８２】
第１乃至第６の突出部１１１〜１１６，１２１〜１２６，１３１〜１３６はいずれも、磁性体１０１に対して所定の方向９１及びそれとは反対の方向へと突出している。よって、第１の実施の形態で説明したように回転子７１，７２を配して得られるモータでは、磁束の多くが回転子７１，７２へと流れる。
【００８３】
また、回転子７１，７２とともに、またはこれに代えて、固定子１の内周側に回転子が設けられたモータでは、第１乃至第６の突出部１１１〜１１６，１２１〜１２６，１３１〜１３６を内周側にも突出させることが、磁束の多くを回転子へと流すことができる点で望ましい。
【００８４】
突出部１１１〜１１６，１２１〜１２６，１３１〜１３６を回転子に近接させることが、磁束をより効率良く回転子へと流すことができる点で望ましい。
【００８５】
さらに、第１の突出部１１１，１２１，１３１はそれぞれ、磁性体１０１に対して外周側へと向かう方向９３１，９３２，９３３に突出している。
【００８６】
このようなコア１１によれば、巻線Ａ１１１〜Ａ１１６，Ａ１２１〜Ａ１２６，Ａ１３１〜Ａ１３６を、第１の実施の形態で説明したと同様の態様（図２）で、第１乃至第６の突出部１１１〜１１６，１２１〜１２６，１３１〜１３６の間に磁性体１０１を芯として配置することができる。
【００８７】
しかも、巻線Ａ１１１〜Ａ１１６，Ａ１２１〜Ａ１２６，Ａ１３１〜Ａ１３６を巻回して得られる固定子１において、第１の突出部１１１，１２１，１３１が被固定部材８１に固定される場合に、被固定部材８１に磁性材を採用しても第１の突出部１１１，１２１，１３１同士での磁束の短絡が生じにくい。これは、第１の実施の形態で説明したと同様の態様（図２）で、巻線Ａ１１１〜Ａ１１６，Ａ１２１〜Ａ１２６，Ａ１３１〜Ａ１３６に電流を流すことができるからである。
【００８８】
例えば、第２乃至第６の突出部１１２〜１１６，１２２〜１２６，１３２〜１３６が磁性体１０１に対して外周側に突出している場合には、第１の突出部１１１，１２１，１３１は、他の突出部１１２〜１１６，１２２〜１２６，１３２〜１３６のいずれに対しても、さらに外周側に突出していることが望ましい。第１の突出部１１１，１２１，１３１のみを被固定部材８１に固定できるからである。
【００８９】
コア１１に巻回される巻線Ａ１１１〜Ａ１１６，Ａ１２１〜Ａ１２６，Ａ１３１〜Ａ１３６に流される３相電流をｍ相電流（ｍ＝３）と把握すれば、コア１１は、第１乃至第２ｍの突出部の三組を備えると把握できる。そして、コア１１の特徴を、ｍが３以上の自然数であって、第１乃至第２ｍの突出部の少なくも二組を備えるものに拡張することができる。
【００９０】
拡張されたコアによれば、磁性体１０１を芯として巻回されてｍ相電流が流される巻線であって、ｍ相電流の各々について周方向９２に対して右巻きに巻回された巻線と左巻きに巻回された巻線を設ける際に、いずれの第１の突出部から開始しても、巻線に流れる電流の向きと大きさが周方向に沿った順に等しくなるように、巻線を配置することができる。当該配置によれば、いずれの第１の突出部同士においても、それぞれの両側に流れる電流の向きと大きさが共通するので磁位が相互に等しく、第１の突出部を被固定部材８１に固定する場合に被固定部材８１に磁性材を採用しても、第１の突出部同士での磁束の短絡が生じない。
【００９１】
図４及び図５は、コア１１を被固定部材８１に固定する前と固定した後とをそれぞれ示す。コア１１は、第１の突出部１１１，１２１，１３１の外周側が被固定部材８１の内周側の側面に、例えば焼き嵌めや溶接によって、固着される。
【００９２】
例えば、巻線Ａ１１１〜Ａ１１６，Ａ１２１〜Ａ１２６，Ａ１３１〜Ａ１３６の各々をコア１１に巻回した後に、当該コア１１を被固定部材８１に固定しても良い。
【００９３】
第１の突出部１１１，１２１，１３１は、他の突出部１１２〜１１６，１２２〜１２６，１３２〜１３６に対して外周側に突出する場合に限らず、所定の方向９１及びそれとは反対の方向並びにコア１１の内周側から外周側へと向かう方向９３１〜９３３及びそれとは反対の方向の四方向のうち、一、二もしくは三方向へと突出しても良い。
【００９４】
第３の実施の形態．
図６は、本実施の形態に係るモータを概念的に示す斜視図である。また図７は、当該モータの上面図である。当該モータは、固定子２及び回転子７３を備える。図６及び図７では、当該モータをハウジング８内に設けた場合が示されている。図８は、固定子２を概念的に示す斜視図である。また図９は、固定子２の上面図である。
【００９５】
固定子２は、所定の方向９１の周りで周方向９２に沿って環状を呈するコア２１と、巻線Ａ２１１〜Ａ２１６，Ａ２２１〜Ａ２２６，Ａ２３１〜Ａ２３６，Ａ２４１〜Ａ２４６とを備える。
【００９６】
巻線Ａ２１１〜Ａ２１６，Ａ２２１〜Ａ２２６，Ａ２３１〜Ａ２３６，Ａ２４１〜Ａ２４６は、この順にコア２１を芯として巻回されている。具体的には、巻線Ａ２１１，Ａ２１３，Ａ２１５，Ａ２２１，Ａ２２３，Ａ２２５，Ａ２３１，Ａ２３３，Ａ２３５，Ａ２４１，Ａ２４３，Ａ２４５はそれぞれ周方向９２から見て右巻き及び左巻きのいずれか一の方向に巻回され、巻線Ａ２１２，Ａ２１４，Ａ２１６，Ａ２２２，Ａ２２４，Ａ２２６，Ａ２３２，Ａ２３４，Ａ２３６，Ａ２４２，Ａ２４４，Ａ２４６はそれぞれ他の方向に巻回されている。
【００９７】
コア２１は、巻線Ａ２４６と巻線２１１との間の位置２０１１ａにおいて巻線Ａ２４６，Ａ２１１に対して所定の方向９１に突出し、巻線Ａ２１６と巻線Ａ２２１との間の位置２０１２ａにおいて巻線Ａ２１６，Ａ２２１に対して所定の方向９１に突出し、巻線Ａ２２６と巻線Ａ２３１との間の位置２０１３ａにおいて巻線Ａ２２６，Ａ２３１に対して所定の方向９１に突出し、巻線Ａ２３６と巻線Ａ２４１との間の位置２０１４ａにおいて巻線Ａ２３６，Ａ２４１に対して所定の方向９１に突出している。図８では、突出した部分が符号２０１１〜２０１４で示されている。
【００９８】
この内容は、位置２０１１ａ〜２１０４ａをコア２１の複数の所定の位置と把握することで次のように把握できる。つまり、コア２１が、複数の所定の位置２０１１ａ，２０１２ａ，２０１３ａ，２１０４ａにおいて、巻線Ａ２４６，Ａ２１１、巻線Ａ２１６，Ａ２２１、巻線Ａ２２６，Ａ２３１及び巻線Ａ２３６，Ａ２４１から所定の方向９１にそれぞれ突出している。
【００９９】
図１０は、固定子２を被固定部材８２に固定する態様を概念的に示す。突出した部分２０１１〜２０１４が被固定部材８２に接触する態様で、固定子２を被固定部材８２に固定する。具体的には、所定の方向９２に沿って所定の方向９１と反対側からボルト８３で、突出した部分２０１１〜２０１４を介して固定子２及び被固定部材８２を貫通し、被固定部材８２の固定子２とは反対側からナット８４で締結する。被固定部材８２は、例えばハウジング８に固定される。
【０１００】
所定の位置２０１１ａ〜２０１４ａにおいて、コア２１が外周側にも突出し、外周側に突出した部分をボルト８３が所定の方向９１に貫通することが、所定の位置２０１１ａ〜２０１４ａでの磁束の流れを妨げない点で望ましい。図１０では、この態様が示されている。
【０１０１】
例えば、突出した部分２０１１〜２０１４を被固定部材８２に固着することで、固定子２を被固定部材８２に固定しても良い。
【０１０２】
巻線Ａ２１１〜Ａ２１６，Ａ２２１〜Ａ２２６，Ａ２３１〜Ａ２３６，Ａ２４１〜Ａ２４６には、次の態様で電流が流される。すなわち、巻線Ａ２１１，Ａ２１４，Ａ２２１，Ａ２２４，Ａ２３１，Ａ２３４，Ａ２４１，Ａ２４４にはそれぞれＵ相電流が流され、巻線Ａ２１２，Ａ２１５，Ａ２２２，Ａ２２５，Ａ２３２，Ａ２３５，Ａ２４２，Ａ２４５にはそれぞれＶ相電流が流され、巻線Ａ２１３，Ａ２１６，Ａ２２３，Ａ２２６，Ａ２３３，Ａ２３６，Ａ２４３，Ａ２４６にはそれぞれＷ相電流が流される。
【０１０３】
図９で示される電流に関する態様は、第１の実施の形態で説明したと同様に、いずれの所定の位置２０１１ａ〜２０１４ａから開始しても、巻線Ａ２１１〜Ａ２１６，Ａ２２１〜Ａ２２６，Ａ２３１〜Ａ２３６，Ａ２４１〜Ａ２４６に流れる電流の向きと大きさが、周方向９２に沿った順に等しいと把握できる。
【０１０４】
このような態様によれば、所定の位置２０１１ａ〜２０１４ａにおける磁位がほぼ等しくなる。よって、被固定部材８２に磁性材が採用しても、突出した部分２０１１〜２０１４同士での磁束の短絡が生じにくい。
【０１０５】
この場合、突出した部分２０１１〜２０１４の周方向９２に沿った厚みが大きくても、同様に磁束の短絡が生じにくい。よって、突出した部分２０１１〜２０１４の周方向９２に沿った厚みを大きくすることで、固定子２を被固定部材８２に固定した際の保持強度を高めることができる。
【０１０６】
上述した態様に限らず、第１の実施の形態で説明したと同様に、例えば少なくとも突出した部分２０１１〜２０１４同士で、それぞれの両側に流れる電流の向きと大きさが共通する態様であってもよい。
【０１０７】
所定の位置２０１１ａ〜２０１４ａは、周方向９２において４回対称であることが望ましい。第１の実施の形態で説明した同様、突出した部分２０１１〜２０１４の保持強度が高まるからである。図９では、所定の位置２０１１ａ〜２０１４ａがほぼ４回対称である場合が示されている。
【０１０８】
この技術は、第１の実施の形態で説明したと同様に、所定の位置がＮ個ある場合（Ｎは２以上の自然数である）に拡張することができる。
【０１０９】
向きと大きさの等しい電流が流れる巻線Ａ２１１〜Ａ２１６，Ａ２２１〜Ａ２２６，Ａ２３１〜Ａ２３６，Ａ２４１〜Ａ２４６が、周方向９２において４回対称であることが望ましく、この場合が図９に示されている。これは、コア２１において磁位が周方向９２に４回対称となり、以っていずれの所定の位置２０１１ａ〜２０１４ａにおいても、そこでの磁位を等しくすることができるからである。
【０１１０】
この技術は、第１の実施の形態で説明したと同様にして、向きと大きさの等しい電流が流れる巻線が、周方向９２においてＮ回対称に配置される場合に拡張できる。
【０１１１】
図７に戻って、回転子７３は、基体７３０と磁石７３１〜７３８とを有し、所定の方向９１に沿う回転軸を中心として回転可能である。基体７３０は、内周側から固定子２に対向して配置される。磁石７３１〜７３８は、回転軸の周りで環状に、この順に基体７３０に埋め込まれ、隣接するもの同士は、互いに極性が異なる磁極面を固定子２に向けている。
【０１１２】
巻線Ａ２１１〜Ａ２１６，Ａ２２１〜Ａ２２６，Ａ２３１〜Ａ２３６，Ａ２４１〜Ａ２４６に上述した態様で電流が流れると、固定子２には回転軸を中心とする回転磁界が発生する。当該回転磁界の多くは被固定部材８２に至らず回転子７３へと流れる。これは、突出した部分２０１１〜２０１４同士での磁束の短絡が生じにくいからである。よって、モータの駆動効率及び駆動出力が高まる。
【０１１３】
例えば、回転子７３とともに、あるいはこれに代えて、固定子２の外周側かつハウジング８の内側、及び所定の方向９１とは反対側の少なくとも一方に回転子を設けても良い。特に、回転子７３とともに固定子２の外周側かつハウジング８の内側、及び所定の方向９１とは反対側にも回転子を設けたモータは、固定子２で発生した回転磁界を効率良く利用できる点で望ましい。
【０１１４】
固定子２は、コア２１が所定の位置２０１１ａ〜２０１４ａで、所定の方向９１及びそれとは反対の方向並びにコア２１の内周側から外周側へと向かう方向９４１〜９４４及びそれとは反対の方向の四方向のうち、一、二もしくは三方向へと突出しても良い。
【０１１５】
この場合、回転子は、当該四方向のうち、コア２１がいずれの所定の位置２０１１ａ〜２０１４ａにおいても突出しない方向のいずれか少なくとも一方向から、固定子２に対向して配置される。
【０１１６】
コア２１の所定の位置２０１１ａ〜２０１４ａ以外の位置における被固定部材８２とコア２１との距離は、回転子７３と固定子２とのギャップ長よりも大きいことが、次の点で望ましい。すなわち、固定子２から被固定部材８２への磁束の漏れが回避され、磁束の多くが回転子７３へと流れる。
【０１１７】
第４の実施の形態．
第３の実施の形態で説明したコア２１には、例えば図１１で示されるコアを採用することができる。コア２１は、磁性体２０１と、磁性材からなる第１乃至第６の突出部の４組２１１〜２１６，２２１〜２２６，２３１〜２３６，２４１〜２４６とを備える。
【０１１８】
第１乃至第６の突出部２１１〜２１６，２２１〜２２６，２３１〜２３６，２４１〜２４６は、所定の方向９１の周りで周方向９２に環状に、この順に配置され、周方向９２に沿って隣接するもの同士が磁性体２０１で連結されている。第１乃至第６の突出部２１１〜２１６，２２１〜２２６，２３１〜２３６，２４１〜２４６はいずれも、磁性体２０１に対して内周側へと突出している。
【０１１９】
よって、第３の実施の形態で説明したように回転子７３を配して得られるモータでは、磁束の多くが回転子７３へと流れる。
【０１２０】
また、回転子７３とともに、あるいはこれに代えて、固定子２の外周側かつハウジング８の内側、及び所定の方向９１とは反対側の少なくとも一方に回転子が設けられたモータでは、第１乃至第６の突出部２１１〜２１６，２２１〜２２６，２３１〜２３６，２４１〜２４６を当該回転子に向かって突出させることが、磁束の多くを当該回転子へと流すことができる点で望ましい。
【０１２１】
突出部２１１〜２１６，２２１〜２２６，２３１〜２３６，２４１〜２４６を回転子に近接させることが、磁束をより効率良く回転子へと流すことができる点で望ましい。
【０１２２】
さらに、第１の突出部２１１，２２１，２３１，２４１はそれぞれ、磁性体２０１に対して所定の方向９１に突出している。
【０１２３】
このようなコア２１によれば、巻線Ａ２１１〜Ａ２１６，Ａ２２１〜Ａ２２６，Ａ２３１〜Ａ２３６，Ａ２４１〜Ａ２４６を、第３の実施の形態で説明したと同様の態様（図９）で、第１乃至第６の突出部２１１〜２１６，２２１〜２２６，２３１〜２３６，２４１〜２４６の間に磁性体２０１を芯として配置することができる。
【０１２４】
しかも、巻線Ａ２１１〜Ａ２１６，Ａ２２１〜Ａ２２６，Ａ２３１〜Ａ２３６，Ａ２４１〜Ａ２４６を巻回して得られる固定子２において、第１の突出部２１１，２２１，２３１，２４１が被固定部材８２（図１０）に固定される場合に、被固定部材８２に磁性材を採用しても第１の突出部２１１，２２１，２３１，２４１同士で磁束の短絡が生じにくい。これは、第３の実施の形態で説明したと同様の態様（図９）で、巻線Ａ２１１〜Ａ２１６，Ａ２２１〜Ａ２２６，Ａ２３１〜Ａ２３６，Ａ２４１〜Ａ２４６に電流を流すことができるからである。
【０１２５】
例えば、第２乃至第６の突出部２１２〜２１６，２２２〜２２６，２３２〜２３６，２４２〜２４６が磁性体２０１に対して所定の方向９１に突出する場合には、第１の突出部２１１，２２１，２３１，２４１は、他の突出部２１２〜２１６，２２２〜２２６，２３２〜２３６，２４２〜２４６のいずれに対しても、さらに所定の方向９１に突出していることが望ましい。第１の突出部２１１，２２１，２３１，２４１のみを被固定部材８２に固定できるからである。
【０１２６】
第２の実施の形態で説明したコア１１と同様に、コア２１は、第１乃至第２ｍ（ｍ＝３）の突出部の４組を備えると把握できる。また、コア２１の特徴を、ｍが３以上の自然数であって、第１乃至第２ｍの突出部の少なくとも二組を備えるものに拡張することができる。
【０１２７】
第１の突出部２１１，２２１，２３１，２４１は、他の突出部２１２〜２１６，２２２〜２２６，２３２〜２３６，２４２〜２４６に対して所定の方向９１に突出する場合に限らず、所定の方向９１及びそれとは反対の方向並びにコア２１の内周側から外周側へと向かう方向９４１〜９４４及びそれとは反対の方向の四方向のうち、一、二もしくは三方向へと突出しても良い。
【０１２８】
第５の実施の形態．
図１２は、本実施の形態に係るモータを概念的に示す斜視図である。また図１３は、当該モータの上面図である。当該モータは、固定子３及び回転子７４を備える。図１２及び図１３では、当該モータをハウジング８内に設けた場合が示されている。図１４は、固定子３を概念的に示す斜視図である。また図１５は、固定子３の上面図である。
【０１２９】
固定子３は、所定の方向９１の周りで周方向９２に沿って環状を呈するコア３１と、巻線Ａ３１１〜Ａ３１６，Ａ３１１ａ〜Ａ３１６ａ，Ａ３２１〜Ａ３２６，Ａ３２１ａ〜Ａ３２６ａとを備える。
【０１３０】
コア３１は、磁性体３０１と、磁性材からなる突出部３１１〜３１６，３１１ａ〜３１６ａ，３２１〜３２６，３２１ａ〜３２６ａとを備える。
【０１３１】
突出部３１１〜３１６，３１１ａ〜３１６ａ，３２１〜３２６，３２１ａ〜３２６ａは、所定の方向９１の周りで周方向９２に環状に、突出部３１１，３１１ａ，３１２，３１２ａ，３１３，３１３ａ，３１４，３１４ａ，３１５，３１５ａ，３１６，３１６ａ，３２１，３２１ａ，３２２，３２２ａ，３２３，３２３ａ，３２４，３２４ａ，３２５，３２５ａ，３２６，３２６ａの順に配置され、周方向９２に沿って隣接するもの同士が磁性体３０１で連結されている。突出部３１１〜３１６，３１１ａ〜３１６ａ，３２１〜３２６，３２１ａ〜３２６ａはいずれも、磁性体３０１に対して内周側へと突出している。
【０１３２】
さらに、突出部３１１，３２１はそれぞれ、磁性体３０１に対して所定の方向９１に突出している。
【０１３３】
巻線Ａ３１１〜Ａ３１６，Ａ３１１ａ〜Ａ３１６ａ，Ａ３２１〜Ａ３２６，Ａ３２１ａ〜Ａ３２６ａは、周方向９２に沿って隣接する突出部３１１〜３１６，３１１ａ〜３１６ａ，３２１〜３２６，３２１ａ〜３２６ａの間で磁性体３０１を芯として、巻線Ａ３１１，Ａ３１１ａ，Ａ３１２，Ａ３１２ａ，Ａ３１３，Ａ３１３ａ，Ａ３１４，Ａ３１４ａ，Ａ３１５，Ａ３１５ａ，Ａ３１６，Ａ３１６ａ，Ａ３２１，Ａ３２１ａ，Ａ３２２，Ａ３２２ａ，Ａ３２３，Ａ３２３ａ，Ａ３２４，Ａ３２４ａ，Ａ３２５，Ａ３２５ａ，Ａ３２６，Ａ３２６ａの順にそれぞれ巻回されている。
【０１３４】
具体的には、巻線Ａ３１１，Ａ３１１ａ，Ａ３１３，Ａ３１３ａ，Ａ３１５，Ａ３１５ａ，Ａ３２１，Ａ３２１ａ，Ａ３２３，Ａ３２３ａ，Ａ３２５，Ａ３２５ａはそれぞれ周方向９２から見て右巻き及び左巻きのいずれか一の方向に巻回され、巻線Ａ３１２，Ａ３１２ａ，Ａ３１４，Ａ３１４ａ，Ａ３１６，Ａ３１６ａ，Ａ３２２，Ａ３２２ａ，Ａ３２４，Ａ３２４ａ，Ａ３２６，Ａ３２６ａはそれぞれ他の方向に巻回されている。
【０１３５】
第３の実施の形態で説明したと同様にして、突出した部分３０１１，３０１２を例えば被固定部材８２（図１０）に固定することで、固定子３が被固定部材８２に固定される。
【０１３６】
例えば、突出部３１１〜３１６，３１１ａ〜３１６ａ，３２１〜３２６，３２１ａ〜３２６ａが磁性体３０１に対して所定の方向９１に突出している場合には、突出部３１１，３２１は、他の突出部３１２〜３１６，３１１ａ〜３１６ａ，３２１〜３２６，３２１ａ〜３２６ａのいずれに対しても所定の方向９１に突出していることが望ましい。突出部３１１，３２１のみを被固定部材に固定できるからである。
【０１３７】
巻線Ａ３１１〜Ａ３１６，Ａ３１１ａ〜Ａ３１６ａ，Ａ３２１〜Ａ３２６，Ａ３２１ａ〜Ａ３２６ａには、次の態様で電流が流される。すなわち、巻線Ａ３１１，Ａ３１１ａ，Ａ３１４，Ａ３１４ａ，Ａ３２１，Ａ３２１ａ，Ａ３２４，Ａ３２４ａにはそれぞれＵ相電流が流され、巻線Ａ３１２，Ａ３１２ａ，Ａ３１５，Ａ３１５ａ，Ａ３２２，Ａ３２２ａ，Ａ３２５，Ａ３２５ａにはそれぞれＶ相電流が流され、巻線Ａ３１３，Ａ３１３ａ，Ａ３１６，Ａ３１６ａ，Ａ３２３，Ａ３２３ａ，Ａ３２６，Ａ３２６ａにはそれぞれＷ相電流が流される。
【０１３８】
上述した固定子３においてコア３１は、巻線Ａ３１１と巻線Ａ３１１ａとの間の位置３０１１ａにおいて巻線Ａ３１１，Ａ３１１ａに対して所定の方向９１に突出し、巻線Ａ３２１と巻線Ａ３２１ａとの間の位置３０１２ａにおいて巻線Ａ３２１，Ａ３２１ａに対して所定の方向９１に突出していると把握することができる。図１４では、突出した部分が符号３０１１，３０１２で示されている。
【０１３９】
また図１５で示される電流に関する態様は、第１の実施の形態で説明したと同様に、いずれの所定の位置３０１１ａ，３０１２ａから開始しても、巻線Ａ３１１〜Ａ３１６，Ａ３１１ａ〜Ａ３１６ａ，Ａ３２１〜Ａ３２６，Ａ３２１ａ〜Ａ３２６ａに流れる電流の向きと大きさが、周方向９２に沿った順に等しいと把握できる。
【０１４０】
このような固定子３によれば、所定の位置３０１１ａ，３０１２ａにおける磁位がほぼ等しくなる。よって、固定子３が固定される例えば被固定部材８２に磁性材を採用しても、突出した部分３０１１，３０１２同士、すなわち突出部３１１，３２１同士での磁束の短絡が生じにくい。
【０１４１】
しかも、所定の位置３０１１ａ，３０１２ａのいずれの両側にも、向き及び大きさが同じ電流＋Ｕが流れるので、磁束の多くが周方向９２またはそれとは反対の方向へと流れ、以って磁束が漏れにくい。
【０１４２】
また、突出した部分３０１１，３０１２、すなわち突出部３１１，３２１の周方向９２に沿った厚みが大きくても、同様に磁束の短絡が生じにくい。よって、当該厚みを大きくすることで、固定子３を被固定部材に固定した際の保持強度を高めることができる。
【０１４３】
所定の位置３０１１ａ，３０１２ａ、すなわち突出部３１１，３２１の位置は、周方向９２において２回対称であることが望ましい。第３の実施の形態で説明したと同様、突出した部分３０１１，３０１２の保持強度が高まるからである。図１５では、所定の位置３０１１ａ，３０１２ａがほぼ２回対称である場合が示されている。
【０１４４】
この技術は、第１の実施の形態で説明した同様に、所定の位置がＮ個ある場合（Ｎは２以上の自然数である）に拡張することができる。
【０１４５】
向きと大きさの等しい電流が流れる巻線Ａ３１１〜Ａ３１６，Ａ３１１ａ〜Ａ３１６ａ，Ａ３２１〜Ａ３２６，Ａ３２１ａ〜Ａ３２６ａが、周方向９２において２回対称であることが望ましく、この場合が図１５に示されている。これは、コア３１に流れる磁束の向き及び大きさが周方向９２において２回対称となり、以っていずれの所定の位置３０１１ａ，３０１２ａにおいても、そこでの磁位を等しくすることができるからである。
【０１４６】
この技術は、第１の実施の形態で説明したと同様にして、向きと大きさの等しい電流が流れる巻線が、周方向９２においてＮ回対称に配置される場合に拡張できる。
【０１４７】
図１３に戻って、回転子７４は、基体７４０と、磁石７４１〜７４４とを有し、所定の方向９１に沿う回転軸を中心として回転可能である。基体７４０は、内周側から固定子３に対向して配置される。磁石７４１〜７４４は、回転軸の周りで環状に、この順に基体７４０に埋め込まれ、隣接するもの同士は、互いに極性が異なる磁極面を固定子３に向けている。
【０１４８】
巻線Ａ３１１〜Ａ３１６，Ａ３１１ａ〜Ａ３１６ａ，Ａ３２１〜Ａ３２６，Ａ３２１ａ〜Ａ３２６ａに上述した態様で電流が流れると、固定子３には回転軸を中心とする回転磁界が発生する。当該回転磁界の多くは被固定部材に至らず回転子７４へと流れる。これは、突出した部分３０１１，１０１２同士、すなわち突出部３１１，３２１同士での磁束の短絡が生じにくいからである。よって、モータの駆動効率及び駆動出力が高まる。
【０１４９】
例えば、回転子７４とともに、あるいはこれに代えて、固定子３の外周側かつハウジング８の内側、及び所定の方向９１とは反対側の少なくとも一方から回転子を設けても良い。特に、回転子７４とともに固定子３の外周側かつハウジング８の内側、及び所定の方向９１とは反対側にも回転子を設けたモータは、固定子３で発生した回転磁界を効率良く利用できる点で望ましい。
【０１５０】
上述したように突出部３１１〜３１６，３１１ａ〜３１６ａ，３２１〜３２６，３２１ａ〜３２６ａはいずれも磁性体３０１に対して内周側に突出しているので、磁束の多くが回転子７４へと流れる。
【０１５１】
また、回転子７４とともに、あるいはこれに代えて、固定子３の外周側かつハウジング８の内側、及び所定の方向９１とは反対側の少なくとも一方に回転子が設けられたモータでは、突出部３１１〜３１６，３１１ａ〜３１６ａ，３２１〜３２６，３２１ａ〜３２６ａを当該回転子に向かって突出させることが、磁束の多くを当該回転子へと流すことができる点で望ましい。
【０１５２】
突出部３１１〜３１６，３１１ａ〜３１６ａ，３２１〜３２６，３２１ａ〜３２６ａを回転子に近接させることが、磁束をより効率良く回転子へと流すことができる点で望ましい。
【０１５３】
固定子３は、コア３１が所定の位置３０１１ａ，３０１２ａで、すなわち突出部３１１，３２１が、所定の方向９１及びそれとは反対の方向並びにコア３１の内周側から外周側へと向かう方向９５１，９５２及びそれとは反対の方向の四方向のうち、一、二もしくは三方向へと突出しても良い。
【０１５４】
この場合、回転子は、当該四方向のうち、コア３１がいずれの所定の位置３０１１ａ，３０１２ａにおいても突出しない方向のいずれか少なくとも一方向から、固定子３に対向して配置される。
【０１５５】
コア３１の所定の位置３０１１ａ，３０１２ａ以外の位置における被固定部材８２とコア３１との距離は、回転子７４と固定子３とのギャップ長よりも大きいことが、次の点で望ましい。すなわち、固定子３から被固定部材８２への磁束を漏れが回避され、磁束の多くが回転子７４へと流れる。
【０１５６】
突出部３１１〜３１６，３２１〜３２６を第１乃至第６の突出部の二組、突出部３１１ａ〜３１６ａ，３２１ａ〜３２６ａを第７の突出部、巻線Ａ３１１ａ〜Ａ３１６ａ，Ａ３２１ａ〜Ａ３２６ａを第２の巻線と把握して、固定子３は次のように把握することができる。
【０１５７】
つまり、第７の突出部３１１ａ，３２１ａは、第１の突出部３１１，３２１と、その周方向９２側に隣接する巻線Ａ３１２，Ａ３２２との間で、周方向９２側から磁性体３０１を介して第１の突出部３１１，３２１に、それぞれ連結される。第２の巻線Ａ３１１ａ，３２１ａは、第１の突出部３１１，３２１と第７の磁性体３１１ａ，３２１ａとの間で磁性体３０１を芯として、それぞれ巻回される。第２の巻線Ａ３１１ａ，Ａ３２１ａには、第１の突出部３１１，３２１に周方向９２とは反対側から隣接する巻線Ａ３１１，Ａ３２１に流れる電流＋Ｕと同じ向き及び大きさの電流＋Ｕが流れる。
【０１５８】
第２乃至第６の突出部３１２〜３１６，３２２〜３２６と、第７の突出部３１２ａ〜３１６ａ，３２２ａ〜３２６ａ及び第２の巻線Ａ３１２ａ〜Ａ３１６ａ，Ａ３２２ａ〜Ａ３２６ａとの関係についても同様である。
【０１５９】
また、第１乃至第６の突出部について見れば、第２の実施の形態で説明したコア１１と同様に、コア３１は、第１乃至第２ｍ（ｍ＝３）の突出部の２組を備えると把握できる。また、コア３１の特徴を、ｍが３以上の自然数であって、第１乃至第２ｍの突出部の少なくとも二組を備えるものに拡張することができる。
【０１６０】
上述したいずれのコア１１，２１，３１についても、これらに電磁鋼板等の鋼板が積層されたものを採用しても良いし、一体成形されたものを採用しても良い。
【０１６１】
上述したいずれのモータについても、例えば圧縮機に搭載することができる。特に密閉型圧縮機では、強度や加工性を向上させるために磁性材が用いられることが多いが、当該モータによれば磁束の短絡が生じにくいので、モータの駆動効率及び駆動出力が低減することなく、例えば冷媒等を効率良く圧縮することができる。
【０１６２】
また、冷媒を圧縮する場合、モータが冷媒に晒されるため、固定のための樹脂等の使用も制限される場合がある。従って、磁性体である被固定部材に、余計な部材を追加することなく、またモータ効率を低下させることなく、モータを被固定部材に固定することができる。
【図面の簡単な説明】
【０１６３】
【図１】第１の実施の形態で説明される、モータを概念的に示す斜視図である。
【図２】固定子１を概念的に示す上面図である。
【図３】第２の実施の形態で説明される、コア１１を概念的に示す斜視図である。
【図４】コア１１を被固定部材に固定する態様を順に示す斜視図である。
【図５】コア１１を被固定部材に固定する態様を順に示す斜視図である。
【図６】第３の実施の形態で説明される、モータを概念的に示す斜視図である。
【図７】モータを概念的に示す上面図である。
【図８】固定子２を概念的に示す斜視図である。
【図９】固定子２を概念的に示す上面図である。
【図１０】固定子２を被固定部材に固定する態様を概念的に示す斜視図である。
【図１１】第４の実施の形態で説明される、コア２１を概念的に示す斜視図である。
【図１２】第５の実施の形態で説明される、モータを概念的に示す斜視図である。
【図１３】モータを概念的に示す上面図である。
【図１４】固定子３を概念的に示す斜視図である。
【図１５】固定子３を概念的に示す上面図である。
【符号の説明】
【０１６４】
１，２，３  電機子
１１，２１，３１  コア
７１，７２，７３，７４  回転子
９１  所定の方向
９２  周方向
１０１，２０１，３０１  磁性体
１１１〜１１６，１２１〜１２６，１３１〜１３６，２１１〜２１６，２２１〜２２６，２３１〜２３６，２４１〜２４６，３１１〜３１６，３１１ａ〜３１６ａ，３２１〜３２６，３２１ａ〜３２６ａ  突出部
７１１〜７１６，７２１〜７２６，７３１〜７３８，７４１〜７４４  磁石
９３１〜９３３，９４１〜９４４，９５１，９５２  外周側へと向かう方向
１０１１ａ〜１０１３ａ，２０１１ａ〜２０１４ａ，３０１１ａ，３０１２ａ  所定の位置
Ａ１１１〜Ａ１１６，Ａ１２１〜Ａ１２６，Ａ１３１〜Ａ１３６，Ａ２１１〜Ａ２１６，Ａ２２１〜Ａ２２６，Ａ２３１〜Ａ２３６，Ａ２４１〜Ａ２４６，Ａ３１１〜Ａ３１６，Ａ３１１ａ〜Ａ３１６ａ，Ａ３２１〜Ａ３２６，Ａ３２１ａ〜Ａ３２６ａ  巻線
＋Ｕ，−Ｖ，＋Ｗ，−Ｕ，＋Ｖ，−Ｗ  電流
【図１】
2006271161.tif 000003
【図２】
2006271161.tif 000004
【図３】
2006271161.tif 000005
【図４】
2006271161.tif 000006
【図５】
2006271161.tif 000007
【図６】
2006271161.tif 000008
【図７】
2006271161.tif 000009
【図８】
2006271161.tif 000010
【図９】
2006271161.tif 000011
【図１０】
2006271161.tif 000012
【図１１】
2006271161.tif 000013
【図１２】
2006271161.tif 000014
【図１３】
2006271161.tif 000015
【図１４】
2006271161.tif 000016
【図１５】
2006271161.tif 000017